(57)【要約】【課題】デジタル放送で放送される番組の内容を短時間で効率的に、かつ確実に把握することができる放送受信装置を提供する。【解決手段】放送受信装置１００は、ストリーム信号を受信する受信部１１，１２と、受信したストリーム信号を記憶する記憶部２２と、記憶済みのストリーム信号から字幕データを分離する分離部１４と、分離された字幕データを所定の表示速度で時系列に並べて一覧表示するよう制御する制御部１０と、を有することを特徴とする。【選択図】図１
2009159484.tif 000002
【特許請求の範囲】
【請求項１】
ストリーム信号を受信する受信部と、
該受信部が受信したストリーム信号を記憶する記憶部と、
該記憶部に記憶済みのストリーム信号から字幕データを分離する分離部と、
該分離部で分離された字幕データを、所定の表示速度で時系列に並べて一覧表示するよう制御する制御部と、
を有することを特徴とする放送受信装置。
【請求項２】
前記制御部は、前記受信部が受信したストリーム信号を前記記憶部に記憶しながら、該記憶部に記憶済みのストリーム信号を再生する追っかけ再生モードである場合、前記分離部により前記記憶済みのストリーム信号から分離される全ての字幕データを表示した後、前記受信部で受信したストリーム信号を直接再生するリアルタイム再生に切り換えることを特徴とする、請求項１に記載の放送受信装置。
【請求項３】
前記制御部は、前記字幕データの一覧表示制御の終了を指示された場合、前記一覧表示制御の終了が指示された時点に最も近いタイミングで表示された字幕データに対応する映像データおよび音声データから、前記記憶済みのストリーム信号の再生を開始することを特徴とする、請求項１に記載の放送受信装置。
【請求項４】
外部からの入力を受け付ける入力部をさらに有し、
前記制御部は、前記字幕データのみを連続した字幕データとして表示する再生を行う際に、前記入力部からの入力に基づいて、前記分離した字幕データのみを連続した字幕データとしてブロック化して表示するよう制御することを特徴とする、請求項１〜３のいずれか１項に記載の放送受信装置。
【請求項５】
前記制御部は、前記記憶部に記憶されたストリーム信号に基づいて、連続した字幕データとして表示される字幕データ間の時間間隔を解析して、該解析した時間間隔が所定時間以上の場合には、当該連続した字幕データとして表示される字幕データを表示する際に、当該時間間隔が存在する旨の表示をするよう制御することを特徴とする、請求項１〜４のいずれか１項に記載の放送受信装置。
【発明の詳細な説明】
【技術分野】
【０００１】
本発明は、放送受信装置に関し、特に字幕放送を表示することができるデジタル放送受信装置に関するものである。
【背景技術】
【０００２】
近年、携帯電話のような無線通信端末は非常に数多くのユーザに広く使用されている。最近の携帯電話は、端末本体に、例えばデジタルカメラやＧＰＳ（Global Positioning System）による位置検出機能などの様々な機能部およびアプリケーションが搭載され、ますます多機能化しており、ユーザにとっての利便性は格段に向上してきている。
【０００３】
特に、最近は、携帯電話・移動体端末向けの１セグメント部分受信サービス（以下、ワンセグ放送という）による地上デジタルテレビジョン放送（以下、デジタル放送という）の受信機能を搭載した携帯電話が急速に普及しつつある。このような、ワンセグ放送を受信することでデジタル放送を視聴できる携帯端末を用いることにより、放送波の届くエリア内であれば、視聴する場所に関わらず、例えば移動中であっても、デジタル放送を視聴することが可能である。
【０００４】
また、最近では、受信したワンセグ放送によるデジタル放送を、本体に内蔵したメモリ（またはメモリカード）に録画することができる携帯端末も既に市販されている。このような携帯端末を用いれば、デジタル放送の放送時にはユーザの都合などにより当該放送を視聴できない状態であっても、放送される番組を録画しておくことにより、当該番組の放送が終了してしまっても、その番組を後から視聴することも可能である。
【０００５】
さらに、受信したデジタル放送の番組を、例えばハードディスクなどのランダムアクセスが可能な記録メディアに、デジタル信号のまま記録することが可能なデジタル放送受信装置も既に市販されている。このようなランダムアクセスが可能なメディアを用いて記録することができるデジタル放送受信装置には、従来のアナログ放送をビデオカセットレコーダ（ＶＣＲ）に録画した場合とは異なり、番組の録画が終了する前の録画中であっても、メディアから記録済みの部分を読み出して再生することにより、録画中の（現在放送中の）番組を後から追いかけるように再生（以下、「追っかけ再生」という）する機能が実現できるものもある。追っかけ再生の機能が搭載された放送受信装置では、現在放送中の番組を時々刻々と順次録画しながら、既に録画が完了している部分については、追っかけ再生をしたり、一時停止をしたり、早送り再生や巻き戻し再生なども行うことができるものもある。
【０００６】
このように、録画中の（現在放送中の）番組を追っかけ再生する際に、その再生速度を通常の速度よりも若干速くすることで、現在放送中の番組に追いつくように再生（以下、「追いつき再生」という）できる機能もある。このような追いつき再生の機能を有する放送受信装置では、例えば、図１２の左半分に示すように、既に録画済みの部分については、通常の再生速度よりも速い速度で映像および音声を再生する。通常よりも速い再生速度による再生により、現在録画中（放送中）の番組の放送時点に追いついた場合には、図１２の右半分に示すように、現在録画している内容である、（通常の速度で放送される）現在放送中の番組内容の再生に切り換えるようにする。
【０００７】
このような追いつき再生の機能を使用することにより、録画中の番組の放送の終了（録画終了）を待つことなく録画データの再生ができ、さらに、追いつき再生が現在放送中の番組に追いついた場合には、録画データの再生を終了して、現在放送中の番組をリアルタイムでユーザに視聴させることができる。したがって、追いつき再生機能により、ユーザは時間的に効率良く番組を視聴することができる。なお、この追いつき再生では、音声については、再生速度を上げてもピッチ（音程）があまり変わらないようにしたり、または無音の部分を省略する（詰める）ことにより有音部分の再生速度をあまり上げなくても済むようにしたりするなど、各種の措置が提案されている。
【０００８】
さらに、録画した番組を再生する際に、放送された番組のハイライト情報を元に、番組中で重要なまたは特徴的な部分（ハイライト部分）は通常の再生速度で再生し、その他の部分は早送り再生をして、再生時間を全体として節約するような映像再生装置が開示されている（例えば、特許文献１参照）。この映像再生装置によれば、映像とは別に取得したハイライト情報に基づいて、ハイライト部分が近づくにつれて再生速度を遅くしたり、またハイライト部分から離れると再生速度を速くしたりして、多量の映像を効率よく短時間で視聴することができる。
【０００９】
ところで、デジタル放送においては、画面上に重畳表示される各種の字幕を表示することが標準機能として規格され、特別な機器を用いることなく字幕を用いた放送を視聴することが出来るようになっている。デジタル放送の字幕放送は、アナログ放送の字幕放送とは異なり、放送を受信する端末側で、字幕の表示／非表示の設定や、複数提供される字幕から所望の字幕を選択することが可能である。字幕管理データを用いることにより、送信側にて、受信端末側における個々の字幕の表示形態を操作することもできる。
【００１０】
デジタル放送の字幕放送では、従来のアナログ放送のように、例えば英語で話される発言内容が日本語に翻訳された字幕を表示するような番組だけではなく、例えば日本語で話される発言内容に対して日本語の字幕が提供されるような番組も多い。このような母国語の字幕の提供により、聴力に障害を持つユーザでも番組内容を把握することができるのみならず、例えば公共の場所など音を出すことが望ましくないような場所であっても、イヤホンなどを使用することなく画面の目視のみで番組内容を充分に把握することが可能になる。
【００１１】
さらに、デジタル放送の字幕放送においては、１つのチャンネルに付与される周波数帯域幅のうち、１２セグメント（ハイビジョン放送）を使用する据置型の受信機向けと、１セグメントを使用する携帯受信端末向けとで異なる字幕が提供され、それぞれに字幕の内容および表現形式などが異なるものを放送している。
【００１２】
このデジタル放送の字幕機能としては、大きく分けて表示態様に関する機能と、表示制御に関する機能とがある。表示態様に関する機能には、書式（縦書き、横書き、混在）、文字種（漢字、仮名など）、フォント指定、外字、文字サイズ、文字色（文字単位で２５６色の着色可能）、文字属性（反転、フラッシング、アンダーラインなど）などがあり、表示制御に関する機能には、表示タイミング、消去タイミング、カット、ディゾルブなどがある。また、１ＥＳ（Elementary Stream）あたり、最大８言語まで拡張させて字幕を扱うことが可能である。地上デジタル放送の字幕放送の仕様の詳細は、ＡＲＩＢ（Association of Radio Industries and Broadcast：社団法人電波産業会）による標準規格ＳＴＤ−Ｂ２４「デジタル放送におけるデータ放送符号化方法と伝送方式」の技術報告書ＴＲ−Ｂ１４に規定されているため、より詳細な説明は省略する。
【００１３】
上述した字幕情報も共に録画した番組を再生する場合、この字幕情報だけを表示することにより、ユーザは、番組の流れを追うことができ、番組によってはその内容を充分に把握することが可能である。このため、例えば、録画した番組を通して視聴する時間がない場合や、番組の重要部分を中心とする概略のみを知りたいような場合に、番組内で表示される字幕のみ（映像および音声を省いて）をまとめて表示させることで、実際に番組を再生して最初から最後まで全て視聴する場合に比べて、番組の内容を把握するのに必要な時間が著しく低減される。
【００１４】
デジタル放送の字幕を制御する技術についても、既にいくつかの提案がなされている。例えば、映像信号から映像データと字幕データとを分離して字幕データをメモリに格納し、操作手段からの操作信号に従って表示すべき字幕を選択して、字幕データと映像データとを合わせて表示する映像表示装置が開示されている（例えば、特許文献２参照）。特許文献２に記載の映像表示装置によれば、デジタル放送に含まれる字幕部分を、映像と独立して操作できるため、通常の再生速度で進行する映像および音声とは関係なく、字幕の表示のみを一時停止させたり、字幕のみを巻き戻して以前の字幕を表示させたりすることができる。
【００１５】
また、画面上に表示される字幕の表示を、映像と共に静止画として取り込み、字幕の表示が更新されるごとに、このように静止画を順次保存していくことができる映像処理装置も提案されている（例えば、特許文献３および４参照）。これら特許文献３および４に記載の映像処理装置によれば、番組内の登場人物が発言するセリフ等の文字情報を含む複数の静止画を作成することにより、「読むコンテンツ」を生成することで、番組内容を時間的に効率良く把握することができる。
【００１６】
【特許文献１】特開２００５−２３６５２７号公報
【特許文献２】特開２００７−２４３２９２号公報
【特許文献３】特開２００６−３３９８１７号公報
【特許文献４】特開２００４−３５０１６７号公報
【発明の開示】
【発明が解決しようとする課題】
【００１７】
しかしながら、従来、番組の録画中に、録画済みの部分を短時間で視聴して内容を把握したい場合でも、音声を聴き取るためには、再生速度は１．５倍速程度が限界であり、それ以上の時間の短縮は図れない。
【００１８】
したがって、かかる事情に鑑みてなされた本発明の目的は、デジタル放送で放送される番組の内容を短時間で効率的に、かつ確実に把握することができる放送受信装置を提供することにある。
【課題を解決するための手段】
【００１９】
上記目的を達成する請求項１に係る放送受信装置の発明は、
ストリーム信号を受信する受信部と、
該受信部が受信したストリーム信号を記憶する記憶部と、
該記憶部に記憶済みのストリーム信号から字幕データを分離する分離部と、
該分離部で分離された字幕データを、所定の表示速度で時系列に並べて一覧表示するよう制御する制御部と、
を有することを特徴とするものである。
【００２０】
請求項２に係る発明は、請求項１に記載の放送受信装置において、
前記制御部は、前記受信部が受信したストリーム信号を前記記憶部に記憶しながら、該記憶部に記憶済みのストリーム信号を再生する追っかけ再生モードである場合、前記分離部により前記記憶済みのストリーム信号から分離される全ての字幕データを表示した後、前記受信部で受信したストリーム信号を直接再生するリアルタイム再生に切り換えることを特徴とするものである。
【００２１】
請求項３に係る発明は、請求項１に記載の放送受信装置において、
前記制御部は、前記字幕データの一覧表示制御の終了を指示された場合、前記一覧表示制御の終了が指示された時点に最も近いタイミングで表示された字幕データに対応する映像データおよび音声データから、前記記憶済みのストリーム信号の再生を開始することを特徴とするものである。
【００２２】
請求項４に係る発明は、請求項１〜３のいずれか１項に記載の放送受信装置において、
外部からの入力を受け付ける入力部をさらに有し、
前記制御部は、前記字幕データのみを連続した字幕データとして表示する再生を行う際に、前記入力部からの入力に基づいて、前記分離した字幕データのみを連続した字幕データとしてブロック化して表示するよう制御することを特徴とするものである。
【００２３】
さらに、請求項５に係る発明は、請求項１〜４のいずれか１項に記載の放送受信装置において、
前記制御部は、前記記憶部に記憶されたストリーム信号に基づいて、連続した字幕データとして表示される字幕データ間の時間間隔を解析して、該解析した時間間隔が所定時間以上の場合には、当該連続した字幕データとして表示される字幕データを表示する際に、当該時間間隔が存在する旨の表示をするよう制御することを特徴とするものである。
【発明の効果】
【００２４】
本発明によれば、受信部が受信したストリーム信号を記憶しながら再生する場合、または受信部で受信したストリーム信号の記憶が完了した後に再生する場合に、記憶済みの部分のストリーム信号から分離した字幕データを表示可能にしたので、字幕のみを用いる追っかけ再生または追いつき再生を行うことができる。したがって、処理負荷および消費電力を極めて少なくすることができ、さらにデジタル放送で放送される番組の内容を短時間で効率的に、かつ確実に把握することができる。
【発明を実施するための最良の形態】
【００２５】
以下、本発明の実施の形態について、図面を参照して説明する。以下の各実施の形態においては、本発明の放送受信装置の一例として、例えばワンセグ放送を受信可能な携帯電話のような携帯端末を想定して説明するが、本発明の放送受信装置は携帯電話に限定されるものではなく、例えばＰＤＡなどの任意の携帯型デジタル放送受信装置および据置型のテレビジョン受信機に適用することも可能である。また、本発明は、放送受信装置が受信するデジタル放送についてもワンセグ放送に限定されるものではなく、フルセグ放送（ＨＤＴＶ）を受信する放送受信装置に適用することも可能である。
【００２６】
（第１実施の形態）
図１は、本発明の第１実施の形態に係る放送受信装置の概略構成を示す機能ブロック図である。
【００２７】
放送受信装置１００は、ワンセグ放送によるデジタル放送を視聴するためのテレビジョン受信機能を搭載しており、全体を制御する制御部１０と、地上デジタル放送の放送波を受信する受信部を構成する放送受信用のアンテナ部１１およびチューナ部１２とを有している。放送受信装置１００は、アンテナ部１１で、デジタル放送の放送波を受信する。チューナ部１２は、アンテナ部１１で受信された受信信号（ＲＦ信号）を、制御部１０からの周波数（チャンネル）指定命令に基づいてチューニングする。復調部１３は、チューナ部１２でチューニングされた放送波を、トランスポートストリーム（ＴＳ）信号に復調して分離部１４に供給する。分離部１４は、復調されたＴＳ信号を、パケットＩＤに応じて、音声パケット、映像パケット、字幕パケット、データ放送パケットに分離する。分離部１４でＴＳ信号から分離された音声パケットは音声デコード部１５に、映像パケットは映像デコード部１６に、字幕パケットは字幕デコード部１７に、データ放送パケットはデータ放送デコード部１８に入力される。
【００２８】
音声デコード部１５は、入力された音声パケット内の音声データをデコードしてスピーカ１９に出力し、スピーカ１９は音声デコード部１５から出力される音声を出力する。映像デコード部１６、字幕デコード部１７は、それぞれ入力された映像パケット内の映像データ、字幕パケット内の字幕データをデコードして画面制御部２０に出力する。データ放送デコード部１８は、入力されたデータ放送パケット内のＢＭＬ（Broadcast Markup Language）を基に画面イメージを作成して画面制御部２０に出力する。画面制御部２０は、制御部１０からの命令に基づいて、映像デコード部１６、字幕デコード部１７、データ放送デコード部１８よりそれぞれ出力される映像、字幕テキスト、ＢＭＬに基づく画面イメージを映像表示部２１に表示する。このようにして、ワンセグ放送の字幕付き映像、データ放送および音声を視聴することができる。ワンセグ放送による字幕放送およびデータ放送を視聴する際の受信装置の通常の動作は公知技術であるため、より詳細な説明は省略する。
【００２９】
放送受信装置１００はさらに各種の情報を記憶する記憶部２２を備え、この記憶部２２は、入力した情報および各種アプリケーション等を記憶する他、ワークメモリとしても機能する、ランダムアクセス可能なメモリで構成する。記憶部２２はさらに、バッファ２３と記録蓄積部２４とを有している。放送受信装置１００が録画動作を開始すると、制御部１０は、復調部１３から出力されるＴＳパケットのデータを記憶部２２に記憶するよう制御する。ＴＳパケットのデータが記憶部２２に格納される際には、まず一時記憶領域であるバッファ２３に格納され、次に記録蓄積部２４に格納される。録画した番組を再生する場合には、記憶部２２内のバッファ２３または記録蓄積部２４のいずれかの領域から映像および音声データを読み出す。字幕データを伴う場合には字幕データも共に読み出す。デジタル放送の通常の録画および再生動作も公知技術であるため、より詳細な説明は省略する。
【００３０】
放送受信装置１００はまた、記憶部２２内の領域であるバッファ２３または記録蓄積部２４の中に格納されている各種データの中に字幕データが含まれているか否かを検出する字幕データ検出部２５を備えている。さらに、放送受信装置１００は、外部からの入力を受け付ける入力部２６も備え、ユーザによるキー操作を受け付けることができる。この入力部２６は、各種操作キーやタッチパネルなどの任意の入力装置で構成することができる。
【００３１】
次に、図２のフローチャートを参照しながら、本実施の形態による、字幕による追っかけ再生の動作を説明する。即ち、現在放送中のデジタル放送の番組を録画している最中で、その番組の録画が完了する前に再生を開始する場合の動作について説明する。
【００３２】
まず、録画を開始する時点では、復調部１３からの出力であるＴＳパケットのデータを記憶部２２内にあるバッファ２３に格納する。追っかけ再生は、バッファ２３にＴＳパケットのデータの格納を行いつつ、バッファ２３内にあるＴＳパケットのデータを再生する。
【００３３】
ユーザによる入力部２６からの入力により追っかけ再生の開始が指示されると、制御部１０は、字幕のみの追っかけ再生モードが選択されたか否かを判定する（ステップＳ１１）。
【００３４】
字幕のみの追っかけ再生が選択された場合（ステップＳ１１のＹｅｓ）には、字幕データ検出部２５は、バッファ２３に記憶されたＴＳパケットに字幕データが含まれているか否かを判定する（ステップＳ１２）。なお、ＴＳパケットに字幕データが含まれているか否かは、例えば、番組配列情報におけるＰＭＴ（Program Map Table）内のストリーム形式識別を参照することで判定することができる。
【００３５】
バッファ２３に記憶されたＴＳパケットに字幕データが含まれている場合（ステップＳ１２のＹｅｓ）、制御部１０は、記憶部２２内のバッファ２３に格納されているＴＳパケットから字幕データのみをデコードするよう制御し、字幕デコード部１７は、字幕データをデコードして画面制御部２０に出力する（ステップＳ１３）。画面制御部２０は、デコードされた字幕データを映像表示部２１に表示するように制御する（ステップＳ１４）。この追っかけ再生（追いつき再生）時の字幕の表示方法としては、字幕が自動で順次表示されるような設定にしたり、入力部２６へのユーザの入力に基づいて字幕の表示が進行するような設定にしたりすることができる。
【００３６】
また、字幕データを映像表示部２１に表示する際には、通常の字幕として通常通りに映像表示部２１に表示するだけでなく、ユーザが番組内容を一層把握し易くするために、拡大や背景色、文字色、書体、文字の太さ、陰影、ブライトネス、コントラスト、シャープネス、その他の文字表示形態に関する種々のパラメータを一部または複合的に変更させる処理を行って表示するようにしてもよい。
【００３７】
続いて、制御部１０は、字幕による追っかけ再生が現在放送中の番組に追いついたか否かを判定する（ステップＳ１５）。即ち、バッファ２３に記憶済みの字幕データを全て表示したか否かを判定する。バッファ２３に記憶済みの字幕データを表示し尽してしまった場合、すなわち、字幕による追っかけ再生が、現在放送中の番組に追いついた場合には（ステップＳ１５のＹｅｓ）、制御部１０は、現在受信中の放送データをリアルタイムに再生するリアルタイム再生に切り換えるよう制御する（ステップＳ１６）。
【００３８】
なお、ステップＳ１１にてユーザが字幕のみの追っかけ再生モードを選択しなかった場合、またはステップＳ１２にてバッファ２３に記憶されたＴＳパケットに字幕データが含まれていない場合には、制御部１０は、記憶部２２内のバッファ２３に格納されているＴＳパケットに含まれる音声データおよび映像データをデコードするよう音声デコード部１５および映像デコード部１６を制御する（ステップＳ１７）。各データのデコードが完了したら、制御部１０は、デコードされた音声データをスピーカ１９に出力し、デコードされた映像データを画面制御部２１に出力する。デコードされた映像データを受信した画面制御部２１は、映像データを映像表示部２１に表示する（ステップＳ１８）。このようにして、ユーザが映像および音声による追っかけ再生を所望する場合、または番組が字幕放送を提供していない場合には、従来式の映像および音声を用いた追っかけ再生を行う。
【００３９】
このようにすることで、例えば図３の左側に示すように、追っかけ再生（追いつき再生）する区間は、映像表示部２１に字幕のみを表示し、現在放送中の番組に追いついた場合は、図３の右側に示すように、映像および音声を含むリアルタイム再生に切り換えることで、ユーザは、現在放送中の箇所までの番組の内容を迅速に効率良く把握することが可能になる。また、本実施の形態による字幕のみの追っかけ再生では、字幕データのみをデコードおよび表示するため、音声デコード部１５および映像デコード部１６などを動作させる必要がなく、処理負荷の軽減および省電力化を実現することができる。デジタル放送受信機能付き携帯端末のように、据え置き型のデジタル放送受信装置よりも消費電力の制限が厳しく処理能力が低い場合には、本実施の形態による字幕のみの追っかけ再生は特に有効である。
【００４０】
字幕による追っかけ再生時に字幕を映像表示部２１に表示する際には、字幕データをスクロールさせることにより、前後の字幕や内容の流れをユーザが把握し易いようにするのが好適である。また、字幕の表示単位ごとに時間間隔を置いて連続して映像表示部２１に表示させる際には、入力部２６へのユーザの入力に基づいて、字幕の表示速度を自在に設定できるようにするのが好適である。
【００４１】
さらに、入力部２６へのユーザの入力操作に基づいて、字幕を表示単位ごとに表示させるようにすることで、ユーザが字幕の表示単位を読んだら次の字幕の表示単位を表示させるようにしても良い。
【００４２】
以下、図４のフローチャートを参照しながら、本実施の形態の字幕による追っかけ再生時の、ユーザ操作により字幕の表示を切り換える動作の一例を説明する。
【００４３】
まず、画面制御部２０は、字幕デコード部１７によりデコードされた字幕データのうち、表示単位ぶんの字幕を表示するよう映像表示部２１を制御する（ステップＳ２１）。
【００４４】
次に、制御部１０は、次に表示すべき字幕データが記憶部２２のバッファ２３に存在するか否かを判定する（ステップＳ２２）。次に表示する字幕データがバッファ２３に存在しない場合には、字幕による追っかけ再生は終了する。次に表示する字幕データがバッファ２３に存在する場合、制御部１０は、当該字幕データを表示する領域が映像表示部２１に存在するか否かを判定する（ステップＳ２３）。
【００４５】
次に表示すべき字幕データを表示する領域がまだ存在する場合には、ステップＳ２１に戻り、現在表示中の字幕の下方向などに次の字幕を追加表示するなどして、映像表示部２１に表示できる限りの字幕を順次表示する。字幕を順次表示した結果、ステップＳ２３にて、次に表示すべき字幕データを表示する領域が不足する場合には、制御部１０は、その時点で次の字幕の表示をいったん停止して、入力部２６へのユーザの入力による画面切り替えの指示があったか否かを判定する（ステップＳ２４）。このユーザの指示があるまでは、制御部１０は、現在の字幕の表示を保持するよう映像表示部２１を制御する。
【００４６】
ステップＳ２４にて入力部２６へのユーザの入力による画面切り替えの指示があったら、制御部１０は、映像表示部２１に現在表示されている字幕データを全てクリアし（ステップＳ２５）、その後ステップＳ２１に移行して、また次の字幕を表示する。
【００４７】
例えば図５の（Ａ）から（Ｂ）に示すように、映像表示部２１に字幕を表示する領域がなくなるまでは順次字幕を表示するが、図５（Ｂ）のように、これ以上字幕を表示するスペース（行）がなくなった場合には、それ以上字幕の表示を行わない。その後は、ユーザの入力部２６への入力による画面切り替えの指示があって初めて、図５（Ｃ）に示すように、次の（続きの）字幕を表示する。
【００４８】
したがって、ユーザが字幕を読み切る前に字幕が消去されたり、スクロールされて画面外に流れたりするような事態は防止される。追っかけ再生では、字幕の表示速度が通常再生よりも速くなり、字幕などを見落としてしまうことも想定されるため、このような措置は非常に有効である。また、結果的に、ユーザが自分のペースで追っかけ再生（追いつき再生）できるため、視聴スタイルの自由度も向上する。なお、字幕の表示方法については、上述のように画面上部から順次下方向に新しい字幕が追加されていく表示方法だけでなく、最初から字幕が画面下部から表示され、順次字幕が一行上にスクロールして、その下にさらに新しい字幕が挿入されていくような表示方法など、種々の表示態様を想定することができる。
【００４９】
また、上述のように、字幕を同じ画面上に順次表示する場合、効率良く迅速に番組内容が把握できるというメリットはあるものの、時間を短縮して視聴するため、時間の推移が掴み難くなる場合も想定される。各字幕が表示される間に比較的大きな時間的な間隔が空く場合には、そのことが理解できていないと、番組の進行上、内容を把握する上で問題が発生する恐れもある。
【００５０】
したがって、本実施の形態では、字幕による追っかけ再生中に、字幕間に大きな時間間隔が空く場合には、必要に応じて、そのことをユーザに通知する。
【００５１】
図６を参照して、放送番組中における各字幕の表示タイミングおよび消去タイミングについて説明する。ここでは、説明を簡単にするため、まず字幕Ａとして「準備ができたら教えてね。」という字幕を表示してから消去し、次に字幕Ｂとして「まだまだかかりそうなんだけど大丈夫？」という字幕を表示してから消去するものとして説明する。この字幕Ａが表示されるタイミングを「字幕Ａ表示タイミングＴＡ１」として、またこの字幕Ａが消去されるタイミングを「字幕Ａ消去タイミングＴＡ２」として定義する。同じように、字幕Ｂが表示されるタイミングを「字幕Ｂ表示タイミングＴＢ１」として、またこの字幕Ｂが消去されるタイミングを「字幕Ｂ消去タイミングＴＢ２」として定義する。前の字幕である字幕Ａが消去されるＴＡ２から次の字幕である字幕Ｂが表示されるＴＢ１までの時間を「字幕表示間隔」として定義する。
【００５２】
なお、これらの字幕表示および消去タイミングは、デジタル放送における字幕放送の字幕制御情報として字幕データと共に送信され、画面制御部２０は、この字幕制御情報に従って、映像データに字幕を重畳して映像表示部２１に表示したり、または映像データから字幕を消去したりする。また、この字幕表示および消去タイミングは、実際に表示すべきタイミングまたは消去すべきタイミングでＴＳパケットに含まれて送信される場合もあり、最初にまとめて、または所定の間隔にて、送信されてくる場合もある。
【００５３】
次に、図７のフローチャートを参照しながら、本実施の形態による、字幕表示間隔が一定以上の場合にユーザに通知する動作を説明する。なお、ここでは、一例として、字幕の表示および消去タイミングが、実際に表示すべきタイミングまたは消去すべきタイミングでＴＳパケットに含まれて送信される場合について説明する。
【００５４】
まず、この動作の開始時点において、本実施の形態による、字幕による追っかけ再生の動作が行われているものとする。制御部１０は、復調部１３により復調したＴＳパケットのデータに含まれる字幕データの中に、字幕Ａの表示タイミングであるＴＡ１を検出すると（ステップＳ３１）、その字幕表示タイミングに基づいて字幕Ａを映像表示部２１に表示する（ステップＳ３２）。
【００５５】
次に、制御部１０は、字幕データの中に、字幕Ａの消去タイミングであるＴＡ２を検出すると（ステップＳ３３）、その字幕消去タイミングを記憶部２２のバッファ２３に格納する。その後、制御部１０は、字幕Ｂの表示タイミングであるＴＢ１を検出したら（ステップＳ３４）、このＴＢ１と先ほどバッファ２３に格納したＴＡ２との差を算出し、この差が所定の閾値を超えているか否かを判定する（ステップＳ３５）。なお、番組のデータの構成によっては、字幕Ａの表示タイミングＴＡ１および消去タイミングＴＡ２などが同時に通知されるケースもある。この場合には、ＴＡ２を（ＴＡ１と同時に）検出した時点では記憶部２２のバッファ２３に格納しておき、先に字幕Ａの表示処理を行い、その後字幕Ｂの表示タイミングＴＢ１を検出した時点で、先に記憶したＴＡ２を用いて字幕表示間隔を算出するようにする。
【００５６】
ステップＳ３５にて、ＴＢ１とＴＡ２の差が所定の閾値を超えている場合には、制御部１０は、時間の間隔が空いている旨および／または実際の再生時に空く時間の間隔を、字幕Ａの後に表示するよう映像表示部２１を制御する（ステップＳ３６）。この所定の閾値は、あまり小さく設定すると、その時間間隔が空いた旨の表示が頻繁に表示されることになるため、時間間隔が空いていることをユーザに知らせることが有益になり得る時間間隔を設定するようにする。この後、映像表示部２１は、この表示に連続して、字幕Ｂを表示する（ステップＳ３７）。なお、映像表示部２１の表示領域が字幕でいっぱいになったときには、いったん全てのページをクリアにして新たに字幕を表示しても良いし、または字幕でいっぱいになった画面の字幕をスクロールさせて次の字幕を表示することもできる。またスクロール方法も、行スクロールでもよいし、ページスクロールとすることもできる。
【００５７】
このようにすることで、実際に放送される番組中で字幕の表示間隔が一定以上空く場合には、ユーザに対してそのことを通知することが可能になる。例えば、本実施の形態による、字幕によるおっかけ再生中には、時間の流れに沿って図８の（Ａ）から（Ｂ）へと示するように、字幕が順次連続して映像表示部２１に表示されが、図８（Ｂ）の画面中央に示すように、実際の放送ではこの部分に３０秒間の字幕の空きが存在したことが一見して把握できる。このようにユーザに通知する表示は、上述した字幕表示間隔の時間の値を表示する以外にも、例えば、字幕表示間隔が空いていたことを示す記号やシンボルマークなどを表示したり、または表示間隔そのものは表示せずに、直後の字幕Ｂに対して飾りつけしたりすることにより、ユーザに字幕表示間隔が空いていたこと知らせることもできる。したがって、ユーザは、この間に番組内のシーンチェンジやＣＭなどにより字幕表示間隔が一定以上空いていることが容易に把握でき、番組の内容によっては、より番組の内容が把握し易くなる大きな手がかりを得ることができる。
【００５８】
（第２実施の形態）
次に、第２実施の形態に係る、字幕による再生の動作を説明する。第２実施の形態では、上述した第１実施の形態において、追っかけ再生時ではなく、番組の録画が完了した後に録画した番組を再生する際に字幕のみによる早送り再生を行う。
【００５９】
本実施の形態は、第１実施の形態と同じ放送受信装置１００により実施することができる。また、本実施の形態の動作についても、第１実施の形態とほぼ同じ動作により行うが、再生する録画データは録画を完了したデータであるため、バッファ２３ではなく、記録蓄積部２４に、１つの録画ファイルとして記憶されている。
【００６０】
次に、図９のフローチャートを参照しながら、本実施の形態による、記録が完了した番組の、字幕のみによる早送り再生の動作を説明する。
【００６１】
まず、録画を開始する時点では、復調部１３からの出力であるＴＳパケットのデータを記憶部２２内にあるバッファ２３に格納する。番組の録画が完了した後に、バッファ２３に蓄積されたデータを１つの録画ファイルとして記録蓄積部２４に記憶する。
【００６２】
ユーザによる入力部２６からの入力により、録画した番組の早送り再生の開始が指示されると、制御部１０は、字幕のみの早送り再生モードが選択されたか否かを判定する（ステップＳ４１）。
【００６３】
字幕のみの早送り再生が選択された場合（ステップＳ４１のＹｅｓ）には、字幕データ検出部２５は、記録蓄積部２４に記憶された再生すべきＴＳパケットに字幕データが含まれているか否かを判定する（ステップＳ４２）。なお、ＴＳパケットに字幕データが含まれているか否かは、例えば、番組配列情報におけるＰＭＴ（Program Map Table）内のストリーム形式識別を参照することで判定できる。
【００６４】
記録蓄積部２４に記憶されたＴＳパケットに字幕データが含まれている場合（ステップＳ４２のＹｅｓ）、制御部１０は、記憶部２２内の記録蓄積部２４に格納されているＴＳパケットから字幕データのみをデコードするよう制御し、字幕デコード部１７は、字幕データをデコードして画面制御部２０に出力する（ステップＳ４３）。画面制御部２０は、デコードされた字幕データを映像表示部２１に表示するように制御する（ステップＳ４４）。この早送り再生時の字幕の表示方法についても、字幕が自動で順次表示されるような設定にしたり、入力部２６へのユーザの入力に基づいて字幕の表示が進行するような設定にしたりすることができる。
【００６５】
また、字幕データを映像表示部２１に表示する際には、通常の字幕として通常通りに映像表示部２１に表示するだけでなく、ユーザが番組内容を一層把握し易くするために、拡大や背景色、文字色、書体、文字の太さ、陰影、ブライトネス、コントラスト、シャープネス、その他の文字表示形態に関する種々のパラメータを一部または複合的に変更させる処理を行って表示するようにしてもよい。
【００６６】
続いて、制御部１０は、字幕による早送り再生が解除されたか否かを判定する（ステップＳ４５）。ステップＳ４５にて字幕による早送り再生による再生が解除された場合（ステップＳ４５のＹｅｓ）、制御部１０は、通常の映像および音声の再生に切り換えるよう制御する（ステップＳ４６）。
【００６７】
なお、ステップＳ４１にてユーザが字幕のみの早送り再生モードを選択しなかった場合、またはステップＳ４２にて記録蓄積部２４に記憶されたＴＳパケットに字幕データが含まれていない場合には、制御部１０は、記憶部２２内の記録蓄積部２４に格納されているＴＳパケットに含まれる音声データおよび映像データをデコードするよう音声デコード部１５および映像デコード部１６を制御する（ステップＳ４７）。各データのデコードが完了したら、制御部１０は、デコードされた音声データをスピーカ１９に出力し、デコードされた映像データを画面制御部２１に出力する。デコードされた映像データを受信した画面制御部２１は、映像データを映像表示部２１に表示する（ステップＳ４８）。このようにして、ユーザが映像および音声による早送り再生を所望する場合、または番組が字幕放送を提供していない場合には、通常の映像および音声を用いた早送り再生を行う。
【００６８】
また、ステップＳ４６にて、字幕のみの早送り再生から、通常の映像および音声の再生に切り換える際には、一度字幕で表示した文字列に対応する映像データや音声データが重複して流れることのないようにするのが好適である。以下、図１０を参照しながら、図９のステップ４６における、字幕のみの早送り再生から、通常の映像および音声の再生に切り換える際の動作の一例を詳述する。
【００６９】
字幕データのみを連続した字幕データとして表示する再生が解除されると、制御部１０は、映像表示部２１に現在表示している字幕を検知する（ステップＳ５１）。次に、制御部１０は、検知された現在表示中の字幕に対応する映像データおよび音声データを記録蓄積部２４にて検索する（ステップＳ５２）。現在表示中の字幕に対応する映像データおよび音声データが見つかったら、制御部１０は、当該映像データおよび音声データの次の映像データおよび音声データを再生する（ステップＳ５３）。このように、文字による早送り再生を終了した時点からの映像および音声を再生することにより、字幕のみの早送り再生から通常の再生に切り換える際に、表示される字幕と音声が重複することなく再生の切り換えを行うことができる。
【００７０】
また、本実施の形態において、第１実施の形態で説明した、ユーザ操作により字幕の表示を切り換える動作、および、字幕表示間隔が一定以上の場合にユーザに通知する動作を組み合わせて実施することもできる。
【００７１】
このようにすることで、放送受信装置１００は、例えば図１１の左側に示すように、通常の映像および音声の再生を行っている最中に通常の再生よりも速い速度の早送り再生を開始すると、図１１の上側に示すように、映像表示部２１に字幕のみを連続的に表示する。また、字幕のみの早送り再生が解除されると、図１１の右側に示すように、字幕のみの早送り再生が終了された時点から、通常の映像および音声による再生を重複なく継続して実行する。したがって、通常の映像および音声による再生と、字幕のみによる早送り再生とを組み合わせて、番組の内容を迅速に効率良く把握することが可能になる。また、本実施の形態による字幕のみの早送り再生でも、字幕データのみをデコードおよび表示するだけで済むため、音声デコード部１５および映像デコード部１６などを動作させる必要がなく、処理負荷の軽減および省電力化を実現することができる。
【００７２】
なお、本発明は、上述した各実施の形態にのみ限定されるものではなく、幾多の変形または変更が可能である。例えば、第１実施の形態において、ステップＳ１５にて、字幕による追っかけ再生が現在放送中の番組に追いついたか否かを判定する際には、現在再生中の字幕データの時刻情報と現在時刻とを比較することにより行うこともできる。
【００７３】
また、上述した各実施の形態では、番組の放送中に流れる字幕の全てを表示することを想定して説明しているが、追っかけ再生（追いつき再生）または早送り再生の速度に応じて、または、ユーザの所望に応じて、字幕の中で不要と思われる文字を判別することにより、これらを除いた上で、連続した字幕データとして表示させて視聴するようにもできる。例えば、効果音や音楽が流れる際に表示される「♪（音符マーク）」などを予め登録しておき、このような文字を全て省いた上で、字幕のみの追っかけ再生（追いつき再生）または早送り再生をすることにより、より効率的な字幕の表示および視聴ができる。
【図面の簡単な説明】
【００７４】
【図１】第１実施の形態に係る携帯電話の概略構成を示す機能ブロック図である。
【図２】第１実施の形態に係る、字幕による追っかけ再生の動作を説明するフローチャートである。
【図３】第１実施の形態に係る、字幕による追っかけ再生の動作を説明する概念図である。
【図４】第１実施の形態に係る、ユーザ操作による字幕の表示を切り換え動作を説明するフローチャートである。
【図５】第１実施の形態に係る、ユーザ操作による字幕の表示を切り換え動作の表示画面例を示す図である。
【図６】第１実施の形態に係る各字幕の表示タイミングおよび消去タイミングについて説明する図である。
【図７】第１実施の形態に係る、字幕表示間隔が一定以上の場合にユーザに通知する動作を説明するフローチャートである。
【図８】第１実施の形態に係る、字幕表示間隔が一定以上の場合にユーザに通知する動作の表示画面例を示す図である。
【図９】第２実施の形態に係る、番組録画後の字幕による再生の動作を説明するフローチャートである。
【図１０】第２実施の形態に係る、番組録画後の字幕による再生を解除した場合の動作を説明するフローチャートである。
【図１１】第２実施の形態に係る、番組録画後の字幕による再生の動作を説明する概念図である。
【図１２】従来の追っかけ再生および追いつき再生を説明する概念図である。
【符号の説明】
【００７５】
１０    制御部
１１    アンテナ部
１２    チューナ部
１３    復調部
１４    分離部
１５    音声デコード部
１６    映像デコード部
１７    字幕デコード部
１８    データ放送デコード部
１９    スピーカ
２０    画面制御部
２１    映像表示部
２２    記憶部
２３    バッファ
２４    記録蓄積部
２５    字幕データ検出部
２６    入力部
１００    放送受信装置
【図１】
2009159484.tif 000003
【図２】
2009159484.tif 000004
【図３】
2009159484.tif 000005
【図４】
2009159484.tif 000006
【図５】
2009159484.tif 000007
【図６】
2009159484.tif 000008
【図７】
2009159484.tif 000009
【図８】
2009159484.tif 000010
【図９】
2009159484.tif 000011
【図１０】
2009159484.tif 000012
【図１１】
2009159484.tif 000013
【図１２】
2009159484.tif 000014